(57)【特許請求の範囲】
【請求項１】
軸筒内に複数箇所の案内溝を有するガイド筒を配し、その各案内溝に設けた摺動コマの前端にボールペン筆記体が接合され、摺動コマの後端に常時ボールペン筆記体を後方に引き込むように引っ張りバネが固定されると共に、前面にカム斜面を有した円筒カムがそのカム斜面を各摺動コマに設けたカム斜面に接触させた状態でガイド筒の外周に回転のみ可能に止着され、また円筒カムの後方で操作体がガイド筒の後端部外周に回転方向で一体となるように係合されると共に軸筒に対し回転のみ可能に止着されて、更に操作体に上記引っ張りバネの後端部が係止され、また円筒カムが軸筒内で軸筒に対し回転方向で一体に係合されて、軸筒に対して操作体を回転した時に円筒カムに対してガイド筒が回転し、各ボールペン筆記体の筆記先端部が軸筒先端口から選択的に出没可能となるように構成されたことを特徴とする複式筆記具。
【請求項２】
軸筒が、後軸の前方に先軸が着脱可能に固定されて設けられ、また操作体の後端部が後軸の後端から突出した状態に設けられて、その操作体の後端部外周に前方方向にクリップを一体に有した筒部が固着されてなる請求項１に記載の複式筆記具。
【請求項３】
ボールペン筆記体は、透明又はインキの色と同色の樹脂成形品からなる継ぎ手の先端にボールペンのチップと継ぎ手の後端にインキ収容管が固定されてなり、チップは、先端ボールがチップ先端のボール抱持部の内縁に常時は押圧されて密接し、筆記時には密接状態が解除されるように設けられたスプリングを有し、またインキ収容管は、その内部に筆記に伴う先端ボールの回転で粘性が低下して流出される、所謂剪断減粘性を有した水性ボールペンインキ又は低粘度の油性インキが充填され、更にインキの後端に筆記に伴うインキの消耗に追随して移動するグリース状またはゲル状の不乾性物から成るフォロアが充填されてなる請求項１に記載の複式筆記具。
【請求項４】
ボールペン筆記体は、透明又はインキの色と同色の樹脂成形品からなる継ぎ手の先端にボールペンのチップと継ぎ手の後端にインキ収容管が固定されてなり、先軸は透明で握り部に略不透明なグリップが被覆され、少なくともグリップの前方が透視可能となされ、筆記先端部が先軸の先端口から突出した時に、継ぎ手が外部から視認可能となされたことを特徴とする請求項１に記載の複式筆記具。
【発明の詳細な説明】
【０００１】
【産業上の利用分野】
本発明は、複数のボールペン筆記体の筆記先端部を選択的に軸先より突出させるようにした複式筆記具の改良に関する。
【０００２】
【従来の技術】
従来、先軸とガイド筒の先方を固定し、ガイド筒に設けた複数の案内溝に、摺動コマを後端に止着した複数の筆記体をガイド筒と摺動コマとの間にリターンスプリング（圧縮バネ）を附勢して、それぞれ軸方向に前後動自在に嵌装し、軸方向に変位するカム斜面を有した円筒カムを、ガイド筒に対して回動且つ軸推移可能に設けて、各摺動コマをカム斜面に当接させることにより円筒カムの回転によって上記摺動コマを交互に前後動させて、各筆記体の先端を先軸の先端口から選択的に出没可能とした複式筆記具（Ａ）が知られている。
【０００３】
また別に２色のボールペン筆記体を搭載した複式筆記具（Ｂ）として、ガイド筒がダイカスト成形品で、略前方より後端位置まで反対側の両側面にそれぞれ開口した軸方向に長い一対の案内溝を有し、案内溝と略直角方向に弾性変位可能となるように軸部が２分割された脚部として形成され、また前方には後端が各案内溝と連通し、前端は開口した軸部を有し、後端の側面部に円周方向の周溝が形成されたものがある。そして円筒カムは、前面にカム斜面を有し、後方に４半円周状の鍔部を有して、その鍔部がガイド筒後端の周溝にガイド筒を弾性変形させて嵌装され、円筒カムがガイド筒に対し回転のみ可能に被嵌され、且つ抜け止めされる。また摺動コマは、外面に突起を有して突起の後端面に円筒カムのカム斜面と略同勾配のカム斜面が設けられ、また突起の後方にはネジ部を有した軸部が設けられており、各摺動コマの軸部とガイド筒後端の端部との間に引っ張りバネを敷設して摺動コマを常時後方に附勢されている。また摺動コマの前方には接合管などを介してボールペン筆記体が着脱可能に止着されている。この構成の複式筆記具は、ガイド筒を樹脂成形品とした場合には剛性不足であり止着強度や作動性に問題がある。
【０００４】
又、従来知られる油性ボールペンのインキは高粘度で、筆記の際にボテ、筆記描線のムラ、濃度の薄さ、筆記圧が高い等の問題が存在する。又、従来の油性ボールペンの改良として相対的に低粘度のインキであるが、先端ボールの回転でより粘度が低下してインキがスムーズに流出する、所謂剪断減粘性を有した水性のインキを充填したボールペンが知られている。そのようなボールペンは上向き筆記をした時には先端ボール背面のインキが無くなると、インキのヘッドが直に加わる為に顕著な逆流が生じて手や衣服を汚す危険がある。又、インキの粘度が低く流出量が多いが故に、チップ側を下向きにした場合に先端ボールとチップ抱持部の隙間が生じるとインキが滲みでる（直流）問題が生じる。即ち、チップ先端部が服地に接触しているとインキが吸い出されて服地を汚損する問題がある。
また更に上向き筆記後やノックや落下等の衝撃後で先端ボール背面のインキが逆流傾向となる為に筆記掠れが起きる問題が存在する。（水性ボールペンのチップは油性ボールペンのチップに対して先端ボールとチップ抱持部の縦ガタが大きく設定されている。）その為に、通常はインキの後端に筆記時のインキの消耗に追随して移動するが、インキの自重や衝撃に対してインキの逆流を抑制するグリース状のフォロアが設けられる。又、先端ボールがチップのボール抱持部に密接するように先端ボールの背面をスプリングで押圧する手段やチップの後端にボール弁を遊嵌した弁室を設ける手段が用いられている。
【０００５】
一方、従来の高粘度油性インキのボールペンの改良として低粘度油性インキのボールペンが考えられている。低粘度油性インキを用いた場合、チップ先端部の乾燥の問題がない。又、水性ボールペンに対して先端ボールとチップ抱持部の縦ガタを小さくできるのでインキの直流に対して低粘度の剪断減粘性を有した水性インキに比較して有利である。
【０００６】
ところで上記のような複式筆記具に搭載するボールペンリフィールの場合、先端ボール径が０．５ｍｍ以下（０．３ｍｍ、０．４ｍｍの細字用）の場合にはインキの流出量が小さくチップ内のインキ流路が細いのでインキの直流及び逆流防止に有利である。又、インキ収容管の長さが短いほど（インキの充填長さ）、インキ収容管の内径が細いほどインキの直流及び逆流防止に対して有利である。
以上のことを基にして、低粘度油性インキを使用してインキ収容管の外径を３〜３．５ｍｍ、先端ボール径を０．５ｍｍ以下とすることで、特別なインキの直流及び逆流防止機構を設けない場合でも複式筆記具用のボールペンリフィールとして筆記寿命を含めて十分使用満足感のあるものが提供可能である。
又、先端ボール径が０．５ｍｍ以上、インキ収容管を長くしたりインキ収容管を薄肉の金属管と成して内孔を拡げてインキの充填量を大きくした場合、またインキを更に低粘度とした場合、また低粘度の剪断減粘性を有した水性インキなどには上述したインキの直流及び逆流防止機構が程度に応じて組み込まれる。
【０００７】
【発明が解決しようとする課題】
本発明が対象とする複式筆記具は、部品の多くが金属製で構造が複雑な高級品ではなく、部品の殆どが樹脂成形品で構造も極力単純化した安価なものであり、このような複式筆記具は軸径が太くなる欠点がある。また低粘度インキ特に剪断減粘性を有する水性インキを使用したボールペン筆記体はインキ流量が多いが故にインキ充填量を多くしてインキ収容管の径が太くなる傾向にある。
また安価な複式筆記具とはいえデザイン性や高級感から少しでも細いものが好まれる傾向がある。
そこで本発明は、極力軸径を細くすることを可能とし、また細くすることによって生じる構造上の欠点を解決することを課題とする。
【０００８】
【課題を解決するための手段】
本発明は、上記課題を達成するために以下の構成を有する。
請求項１に記載の発明に係る複式筆記具は、軸筒内に複数箇所の案内溝を有するガイド筒を配し、その各案内溝に設けた摺動コマの前端にボールペン筆記体が接合され、摺動コマの後端に常時ボールペン筆記体を後方に引き込むように引っ張りバネが固定されると共に、前面にカム斜面を有した円筒カムがそのカム斜面を各摺動コマに設けたカム斜面に接触させた状態でガイド筒の外周に回転のみ可能に止着され、また円筒カムの後方で操作体がガイド筒の後端部外周に回転方向で一体となるように係合されると共に軸筒に対し回転のみ可能に止着されて、更に操作体に上記引っ張りバネの後端部が係止され、また円筒カムが軸筒内で軸筒に対し回転方向で一体に係合されて、軸筒に対して操作体を回転した時に円筒カムに対してガイド筒が回転し、各ボールペン筆記体の筆記先端部が軸筒先端口から選択的に出没可能となるように構成されたことを特徴とする。
【０００９】
請求項２に記載の発明に係る複式筆記具は、請求項１に記載の複式筆記具に於いて、軸筒が、後軸の前方に先軸が着脱可能に固定されて設けられ、また操作体の後端部が後軸の後端から突出した状態に設けられて、その操作体の後端部外周に前方方向にクリップを一体に有した筒部が固着されてなる。
【００１０】
請求項３に記載の発明に係る複式筆記具は、請求項１に記載の複式筆記具に於いて、ボールペン筆記体は、透明又はインキの色と同色の樹脂成形品からなる継ぎ手の先端にボールペンのチップと継ぎ手の後端にインキ収容管が固定されてなり、チップは、先端ボールがチップ先端のボール抱持部の内縁に常時は押圧されて密接し、筆記時には密接状態が解除されるように設けられたスプリングを有し、またインキ収容管は、その内部に筆記に伴う先端ボールの回転で粘性が低下して流出される、所謂剪断減粘性を有した水性ボールペンインキ又は低粘度の油性インキが充填され、更にインキの後端に筆記に伴うインキの消耗に追随して移動するグリース状またはゲル状の不乾性物から成るフォロアが充填されてなる。
【００１１】
請求項４に記載の発明に係る複式筆記具は、請求項１に記載の複式筆記具に於いて、ボールペン筆記体は、透明又はインキの色と同色の樹脂成形品からなる継ぎ手の先端にボールペンのチップと継ぎ手の後端にインキ収容管が固定されてなり、先軸は透明で握り部に略不透明なグリップが被覆され、少なくともグリップの前方が透視可能となされ、筆記先端部が先軸の先端口から突出した時に、継ぎ手が外部から視認可能となされたことを特徴とする。
【００１２】
【実施例】
先ず、図１は本発明の実施例である複式筆記具の全体を示す縦断面図である。
図に示す複式筆記具は、剪断減粘性を有する水性インキを使用した２種のボールペン筆記体８が搭載された状態を示しているが、以上に限らず低粘度の油性ボールペンインキ、通常の油性ボールペンインキ、あるいは消しゴムで消せるタイプのボールペンインキなどを使用したボールペン筆記体を搭載することができる。
【００１３】
図に示すように、軸筒は後軸１と先軸２とからなり、後軸１の前方に先軸２の後方が螺合などの手段による接合部４によって着脱可能に固定されている。
また後軸１は樹脂製で、図２及び図３に示すように、内孔の後端近傍に円周状の凹溝１ｂと１ｃが形成され、さらに内孔の後方部一側に軸方向に延びたガイド溝１ａが形成されている。また内孔の前端近傍には先軸と螺合する螺子部が形成されている。また先軸２は、ボールペン筆記体のインキ色が解るように透明な樹脂成形品となして、握り部に略不透明なゴムや熱可塑性エラストマーのグリップを設け、少なくともグリップの前方が透視可能となされて、筆記先端部が先軸の先端口から突出した時に、その継ぎ手部が外部から視認可能となるように設けることができる。またその時、ディスプレイ性を良くすることから後軸も透明となされる。
【００１４】
また図４乃至図９はガイド筒３を示している。
図に示すようにガイド筒３は、軸部３ａの前端から略後端まで側面に開口した軸方向に長い案内溝３ｃと仕切壁３ｂを介してそれと反対側の側面に同様の案内溝３ｄが設けられている。またガイド筒３の前端に設けたやや大径の軸部３ｅにはガイド溝３ｃ、３ｄに貫通した同形の溝部を有すると共に溝部の上端に両側から適宜張り出した押さえ３ｊが形成されている。また軸部３ａは、後端から適宜前方位置に段部３ｈを有してその前方がやや大径となされ、段部３ｈの後方に円周上に凹部３ｉが形成されるように周上に突部３ｇが形成されている。また突部３ｇの外径と段部３ｈ前方の軸部３ａの外径は通常同径に設けられる。
また軸部３ａの後端近傍の軸面には縦溝３ｋが形成され、さらに後端部軸心には内軸３ｆが形成されている。
【００１５】
図１０は円筒カム５の断面図を示している。
円筒カム５は筒状を成し、前端縁に円周状に前後に変位するカム斜面５ａを有し、カム斜面５ａの最前端部には切欠５ｂが形成されている。また円筒カム５の側面に軸方向にガイドリブ５ｃが形成され、カム斜面５ａの後端に平坦となった後端部５ｅが形成されて、後端部５ｅの後方が円筒状の軸部５ｄとなされ、軸部５ｄの後端部内孔に円周状の突部５ｆが形成されている。
【００１６】
また図１１及び図１２は摺動コマ６を示している。
図に示すように摺動コマ６は、中央の軸部外面に設けられた突部６ａの後端に突起６ｂが形成され、その突起６ｂの前方に円筒カム５のカム斜面５ａと略同勾配のカム斜面６ｇが形成され、中央の軸部後端に設けた軸部に螺子状部６ｆが形成されている。なおこの螺子状部６ｆは後述する引っ張りバネも端部を係止する為の部位であって螺子に限らず周状の突部や突条部などであってもよいものである。また中央の軸部前端に設けた軸部６ｃの外周部には所要箇所に係合リブ６ｄが形成され、また軸部６ｃの一側面に前端から中央の軸部に係る通気溝６ｅが形成されている。なお上記係合リブ６ｄは後述するボールペン筆記体の後端部を着脱可能に止着する係合部であり、通気溝６ｅはボールペン筆記体を止着した後インキ収容管内と外部との空気置換を行うため積極的に設けられたものである。
【００１７】
また図１３及び図１４は操作体７を示している。
図に示すように操作体７は、筒状の軸部７ａの前方外周部に周状の突部７ｂと７ｃが形成され、後方外周部には同様に周状の突部を成した係合部７ｅが形成されて、更に外周部略中央の一側に片状の突部７ｄが形成されている。
また軸部７ａ内孔部の所要位置に上述したガイド筒３の縦溝３ｋに嵌挿して相互間が回転方向で一体となるリブ７ｈが形成され、更にガイド筒３の案内溝３ｃ、３ｄに対向して引っ張りバネの後端部を係止する為のバネ取付け部７ｆが形成されている。またバネ取付け部７ｆには引っ張りバネの後端に設けられたフック部を引っかける為の掛け部７ｇが設けられている。
【００１８】
また図１５はボールペン筆記体を示している。
図に示されるボールペン筆記体８は、低粘度油性インキまたは剪断減粘性を有した水性インキが充填されてなる。
このボールペン筆記体８の構造について説明すると、チップ８ｃはインキ流入可能なチャンネルを有した座に先端ボール８ｄが略当接した状態で、先端ボールが回転自在に抱持されるようカシメられている。
またチップ８ｃの内孔部にスプリング８ｅが内挿され、チップの軸部の後端が適宜カシメられてスプリングの後端が抜出不能に設けられている。
またスプリング８ｃの先方には直線状の棒軸部が形成され、この棒軸部の先端が先端ボール８ｄの後端に押圧状に当接している。尚、先端ボールはその押圧でチップ８ｃのボール抱持部の内縁に密接状態となる。またチップの後端軸部の外周に周状の溝が形成されている。（図示せず）
【００１９】
また継ぎ手８ｂは、ＰＰ樹脂成形品で後方軸部がインキ収容管１８ａに固着される。また継ぎ手８ｂの前方軸部の内孔部に突部（図示せず）が形成されており、チップをこの内孔部に圧入した時にチップの後端軸部の外周に設けられた周状の溝に突部が係合してチップの固着力が増強される。
また継ぎ手８ｂは透明またはインキと略同色に設けられる。継ぎ手を透明とした場合にはインキの残量が正しく把握できる。インキ収容管を金属製とした場合には一層有効となる。
【００２０】
又、インキ収容管８ａ内には低粘度油性インキまたは剪断減粘性を有する水性のインキ８ｇが充填され、更にインキの後端にインキの消耗と共にインキ面に接触して追随して移動可能なグリース状又はゲル状のフォロア８ｈが配設されている。またインキ収容管８ａは、ポリエチレン、ＰＰ樹脂（ポリプロピレン）、ポリエチレンテレフタレート等の熱可塑性樹脂からなる成形体が、インキの低蒸発性、生産性の面から使用可能であるが、通常は略透明のＰＰ樹脂成形品等が使用される。尚、インキ収容管の内径が常に一定のものを使用するのであれば継ぎ手８ｂは必ずしも必要とせず、チップ８ｃを直接インキ収容管に固着することができる。
【００２１】
ところでボールペン筆記体に低粘度油性インキが用いられた場合にはチップ先端部の乾燥の問題がないが、剪断減粘性を有する水性のインキが用いられた場合には筆記先端部にシール樹脂（ホットメルトなどで）が取付けられて、長期間未使用で滞留された時に初期品質が低下しないように成されている。無論、筆記開始時にシール樹脂は取り去られる。
【００２２】
以下、組立構造について説明すると、
先ず、ガイド筒３の案内溝３ｃ、３ｄに各摺動コマ６，６が配設され、各摺動コマ６，６の後端に設けられた螺子状部に引っ張りバネ９，９が係止されると共に、摺動コマの前端に設けられた軸部６ｃ、６ｃにボールペン筆記体８，８のインキ収容管８ａの後端内孔部が係合される。またガイド筒３の凹部３ｉに円筒カム５の突部５ｆが弾性変形を利用して嵌着され、ガイド筒３に対し円筒カム５が回転のみ可能に止着される。またガイド筒の軸部３ａの後端部外周に設けた縦溝３ｋにリブ７ｈを嵌挿した状態で操作体７がガイド筒に取付けられ、円筒カム５の後端に操作体７の前端が当接した状態となり、また操作体７の内孔部に設けられたバネ取付け部７ｆ、７ｆの掛け部７ｇ、７ｇに上記引っ張りバネ９，９の後端に設けられたフック部９ａ，９ａが係止され、常時ボールペン筆記体を後方に引き込むように引っ張りバネが固定されると共に、前面にカム斜面５ａを有した円筒カム５がそのカム斜面５ａを各摺動コマに設けたカム斜面６ｇに接触させた状態となる。またその組付け状態で後軸１の後端からその内孔部に挿入される。
【００２３】
また円筒カム５のガイドリブ５ｃが後軸１のガイド溝１ａに嵌合し、円筒カムが後軸に対し回転方向で一体になると共に、操作体７の軸部７ａの前方部に設けられた突部７ｂ、７ｃが後軸１の凹溝１ｂ、１ｃに相互の弾性変形によって係合し、操作体７が後軸１に対し回転のみ可能に止着され、またガイド筒３は操作体と一体に回転可能となる。
またクリップ体１０の後端部に設けられた凹部に操作体の突部７ｄが係合した状態で筒部１０ａが操作体の軸部７ａの後方部に設けられた係合部７ｅに係合してクリップ体１０と操作体７が一体化される。
【００２４】
以上により、後軸１に対してクリップ体１０を一方方向に１８０度づつ回転することで、円筒カム５に対してガイド筒３が同様に回転して、２色のボールペン筆記体８，８の筆記先端部が先軸２の先端口から交互に出没する。
またクリップ体の回転を左右に９０度づつの範囲で回転規制することも可能である。またその手段は、円筒カムとガイド筒の相互間に回転範囲を規制する係合部を設ける構造、操作体を後軸に対して回転規制する構造、ガイド筒の前端部と対向する段部を後軸内孔に設けてその相互間に回転規制部を設ける構造などがある。
【００２５】
ところで、上述した実施例は２色の複式筆記具であるが、無論、容易に３色とすることができる。
図１６は３色の場合のガイド筒１３の横断面で案内溝の状態を示している。
また図１７は３色の場合の操作体１４の状態を示している。
また図１８は３色の複式筆記具の全体を示す縦断面図であるが、断面の関係から１色が削除された状態で示されている。
また３色の場合も基本的には２色と同じなので説明は省略する。
【００２６】
【作用】
本発明の複式筆記具は、従来の複式筆記具（Ａ）のようにリターンスプリングの内孔をくぐってボールペン筆記体の後端部が摺動コマの前端に係合されないので後軸の内径寸法を小さくしても作動性が良好である。
因みに、複式筆記具（Ａ）の場合には、リターンスプリングは伸縮を繰り返すと座屈によってよじれ状に変形し、筆記体を交換するときにスプリングの捲線部に干渉してスプリングを破壊して作動不良を起こしやすい問題がある。そこでそのような問題が起きにくいように必要な余裕を設けており、いっそう軸径が大きくなる傾向にある。
また複式筆記具（Ｂ）のようにガイド筒が、案内溝と略直角方向に弾性変位可能となるように軸部が２分割された脚部として形成されされていないので、樹脂製であっても剛性不足とならない。またガイド筒の後端に操作体を設けた構造によって華奢となるガイド筒と円筒カムの止着部が弱くても操作体と後軸の強固な係合によって補強される。
【００２７】
また継ぎ手を透明又はインキの色と同色の樹脂成形品とし、先軸を透明としその握り部に略不透明なグリップを被覆して、筆記先端部が先軸の先端口から突出した時に継ぎ手部が外部から視認可能となすことによって、それぞれの筆記先端部が先軸の先端口から突出した時に継ぎ手が先軸先方の透明部から視認され、目下突出したボールペン筆記体のインキが何色か明瞭に表示される。また継ぎ手が透明な場合にはインキの残量が正しく把握できる。
【００２８】
【発明の効果】
本発明の構成及び作用は以上の通りであり、安価な複式筆記具が従来より細くできデザイン性や高級感を持たせることが可能となり、また細くすることによって生じる構造上の欠点を解決することが可能となる。
また先軸の先端口から突出した時にボールペン筆記体のインキが何色か明瞭に表示され、継ぎ手が透明な場合にはインキの残量が正しく把握できる。
【図面の簡単な説明】
【図１】本発明の実施例である複式筆記具（２色）の縦断面図である。
【図２】後軸の縦断面図である。
【図３】後軸の断面斜視図である。
【図４】ガイド筒（２色）の縦断面図である。
【図５】ガイド筒の上面図を示している。
【図６】ガイド筒の断面斜視図である。
【図７】図４（ガイド筒）の下方から見た図を示している。
【図８】図４（ガイド筒）のＡ−Ａ断面図である。
【図９】図４（ガイド筒）のＢ−Ｂ断面図である。
【図１０】円筒カムの断面図である。
【図１１】摺動コマの断面図である。
【図１２】摺動コマの上面図を示している。
【図１３】操作体の断面図である。
【図１４】図１３（操作体）の上方から見た図を示している。
【図１５】ボールペン筆記体の縦断面図である。
【図１６】図８に相当する、３色とした場合のガイド筒の断面図である。
【図１７】図１４に相当する、３色とした場合の操作体の上方から見た図である。
【図１８】本発明の実施例である複式筆記具（３色）の縦断面図である。
【符号の説明】
１  後軸
１ａ  ガイド溝
１ｂ  凹溝
１ｃ  凹溝
２  先軸
３  ガイド筒
３ａ  軸部
３ｂ  仕切壁
３ｃ  案内溝
３ｄ  案内溝
３ｅ  軸部
３ｆ  内軸
３ｇ  突部
３ｈ  段部
３ｉ  凹部
３ｊ  押さえ
３ｋ  縦溝
４  接合部
５  円筒カム
５ａ  カム斜面
５ｂ  切欠
５ｃ  ガイドリブ
５ｄ  軸部
５ｅ  後端部
５ｆ  突部
６  摺動コマ
６ａ  突部
６ｂ  突起
６ｃ  軸部
６ｄ  係合リブ
６ｅ  通気溝部
６ｆ  螺子状部
６ｇ  カム斜面
７  操作体
７ａ  軸部
７ｂ  突部
７ｃ  突部
７ｄ  突部
７ｅ  係合部
７ｆ  バネ取付け部
７ｇ  掛け部
７ｈ  リブ
８  ボールペン筆記体
８ａ  インキ収容管
８ｂ  継ぎ手
８ｃ  チップ
８ｄ  先端ボール
８ｅ  スプリング
８ｆ  シール樹脂
８ｇ  インキ
８ｈ  フォロア
９  引っ張りバネ
１０  クリップ体
１０ａ  筒部
１０ｂ  クリップ
１１  クリップ飾り
１２  グリップ
１３  ガイド筒
１３ａ  案内溝
１３ｂ  案内溝
１３ｃ  案内溝
１３ｄ  仕切壁
１４  操作体
１４ａ  バネ取付け部
１４ｂ  リブ
１４ｃ  突部
【図１】
0004540828.tif 000002
【図２】
0004540828.tif 000003
【図３】
0004540828.tif 000004
【図４】
0004540828.tif 000005
【図５】
0004540828.tif 000006
【図６】
0004540828.tif 000007
【図７】
0004540828.tif 000008
【図８】
0004540828.tif 000009
【図９】
0004540828.tif 000010
【図１０】
0004540828.tif 000011
【図１１】
0004540828.tif 000012
【図１２】
0004540828.tif 000013
【図１３】
0004540828.tif 000014
【図１４】
0004540828.tif 000015
【図１５】
0004540828.tif 000016
【図１６】
0004540828.tif 000017
【図１７】
0004540828.tif 000018
【図１８】
0004540828.tif 000019